(57)【要約】【課題】トイレ室内の空気調和の運転時間を長時間化することが可能なトイレ用空気調和機を提供する。【解決手段】トイレ用空気調和機１は人体洗浄用貯水タンク１０の水温を検出する第１水温検出部１２と、便器洗浄用貯水タンク２０の水温を検出する第２水温検出部２２と、圧縮機２と、人体洗浄用貯水タンク１０で水没する第１熱交換器１１と、便器洗浄用貯水タンク２０で水没する第２熱交換器２１と、第１熱交換器１１及び第２熱交換器２１に流入する冷媒の流れを切り替える切替弁４１、４２、５１、５２と、送風装置３０と、送風装置３０に配置した第３熱交換器３１と、を備え、第１水温検出部１２または第２水温検出部２２が検出した水温に基づいて切替弁４１、４２、５１、５２を切り替え、第３熱交換器３１から第１熱交換器１１または第２熱交換器２１に流入する冷媒の流れを変更する。【選択図】図１
2015158286.tif 000002
【特許請求の範囲】
【請求項１】
人体局部洗浄装置を有するトイレ用の空気調和機であって、
前記人体局部洗浄装置に送る洗浄用の水を貯留する人体洗浄用貯水タンクと、
便器に送る洗浄用の水を貯留する便器洗浄用貯水タンクと、
前記人体洗浄用貯水タンクの水温を検出する第１水温検出部と、
前記便器洗浄用貯水タンクの水温を検出する第２水温検出部と、
冷媒を圧縮する圧縮機と、
前記人体洗浄用貯水タンクの内部で水没する第１熱交換器と、
前記便器洗浄用貯水タンクの内部で水没する第２熱交換器と、
前記第１熱交換器及び前記第２熱交換器に流入する冷媒の流れを切り替える切替弁と、
トイレの室内に向かって送風する送風装置と、
前記送風装置の内部に配置した第３熱交換器と、
を備え、
前記第１水温検出部または前記第２水温検出部が検出した水温に基づいて前記切替弁を切り替え、前記第３熱交換器から前記第１熱交換器または前記第２熱交換器に流入する冷媒の流れを変更することを特徴とするトイレ用空気調和機。
【請求項２】
前記圧縮機に対する冷媒の流通方向上流側及び下流側に配置した四方弁を備え、
トイレの室内に対して冷房運転及び暖房運転を実行することを特徴とする請求項１に記載のトイレ用空気調和機。
【請求項３】
前記第１水温検出部及び前記第２水温検出部が検出した水温が所定温度を超過した場合に前記便器洗浄用貯水タンクを排水して貯水することを特徴とする請求項１または請求項２に記載のトイレ用空気調和機。
【請求項４】
前記送風装置と通信する通信部及び運転に係る情報を表示する表示部が設けられた操作部を備え、
前記表示部にトイレ用空気調和機の取扱説明書を表示するとともに前記取扱説明書の文中に取扱説明に係る設定ボタンを選択可能に拡大して描画し、文中に描画された前記設定ボタンが選択された場合に前記設定ボタンに対応する機能に係る制御信号を前記通信部が前記送風装置に送信することを特徴とする請求項１〜請求項３のいずれか１項に記載のトイレ用空気調和機。
【請求項５】
前記設定ボタンが複数選択された場合に複数選択された前記設定ボタンの選択履歴を前記表示部に表示するとともに、前記選択履歴のとおりにトイレ用空気調和機を制御するための実行ボタンと、前記選択履歴の一部または全部を解除するためのキャンセルボタンと、を前記表示部に表示することを特徴とする請求項４に記載のトイレ用空気調和機。
【請求項６】
前記設定ボタンを複数回選択することによりその選択回数に対応した数値を入力することが可能であって、前記設定ボタンを複数選択する過程で前記設定ボタンを複数回選択することにより入力された数値を前記設定ボタンの選択履歴として前記表示部に表示することを特徴とする請求項５に記載のトイレ用空気調和機。
【発明の詳細な説明】
【技術分野】
【０００１】
本発明は人体局部洗浄装置を有するトイレ用の空気調和機に関する。
【背景技術】
【０００２】
従来のトイレ用空気調和機が特許文献１に開示されている。特許文献１に記載されたトイレ用空気調和機は冷媒を圧縮する圧縮機と、空気と冷媒との間で熱交換を行う第一の熱交換器を内蔵してトイレの室内に向かって送風する送風機と、冷媒と水との間で熱交換を行う第二の熱交換器が水没して便器洗浄用の水を貯留する貯水タンクと、を備える。第二の熱交換器において冷媒との間で熱交換を行う水は貯水タンクの便器洗浄用の水である。これにより、余分な水の消費を抑制しようとしている。
【０００３】
なお、特許文献２については後述する。
【先行技術文献】
【特許文献】
【０００４】
【特許文献１】特開平６−９４３２６号公報
【特許文献２】特開２００７−１２９７３８号公報
【発明の概要】
【発明が解決しようとする課題】
【０００５】
しかしながら、上記従来のトイレ用空気調和機はトイレの使用頻度が少ない場合に貯水タンクの水が入れ替わる頻度が少なくなり、冷媒との間の熱交換によって貯水タンクの水温が冷媒の温度に近づく。これにより、冷媒が相変化するに不十分な温度になる。その結果、圧縮機を停止させてトイレ室内の空気調和を停止するので、トイレ室内に好適な温度環境が得られず、使用頻度が少ない時間帯の使用者に不快感を与える虞があるといった課題があった。
【０００６】
本発明は、上記の点に鑑みなされたものであり、トイレ室内の空気調和の運転時間を長時間化することが可能なトイレ用空気調和機を提供することを目的とする。
【課題を解決するための手段】
【０００７】
上記の課題を解決するため、本発明は人体局部洗浄装置を有するトイレ用の空気調和機であって、前記人体局部洗浄装置に送る洗浄用の水を貯留する人体洗浄用貯水タンクと、便器に送る洗浄用の水を貯留する便器洗浄用貯水タンクと、前記人体洗浄用貯水タンクの水温を検出する第１水温検出部と、前記便器洗浄用貯水タンクの水温を検出する第２水温検出部と、冷媒を圧縮する圧縮機と、前記人体洗浄用貯水タンクの内部で水没する第１熱交換器と、前記便器洗浄用貯水タンクの内部で水没する第２熱交換器と、前記第１熱交換器及び前記第２熱交換器に流入する冷媒の流れを切り替える切替弁と、トイレの室内に向かって送風する送風装置と、前記送風装置の内部に配置した第３熱交換器と、を備え、前記第１水温検出部または前記第２水温検出部が検出した水温に基づいて前記切替弁を切り替え、前記第３熱交換器から前記第１熱交換器または前記第２熱交換器に流入する冷媒の流れを変更することを特徴としている。
【０００８】
また、上記構成のトイレ用空気調和機において、前記圧縮機に対する冷媒の流通方向上流側及び下流側に配置した四方弁を備え、トイレの室内に対して冷房運転及び暖房運転を実行することを特徴としている。
【０００９】
また、上記構成のトイレ用空気調和機において、前記第１水温検出部及び前記第２水温検出部が検出した水温が所定温度を超過した場合に前記便器洗浄用貯水タンクを排水して貯水することを特徴としている。
【００１０】
また、上記構成のトイレ用空気調和機において、前記送風装置と通信する通信部及び運転に係る情報を表示する表示部が設けられた操作部を備え、前記表示部にトイレ用空気調和機の取扱説明書を表示するとともに前記取扱説明書の文中に取扱説明に係る設定ボタンを選択可能に拡大して描画し、文中に描画された前記設定ボタンが選択された場合に前記設定ボタンに対応する機能に係る制御信号を前記通信部が前記送風装置に送信することを特徴としている。
【００１１】
また、上記構成のトイレ用空気調和機において、前記設定ボタンが複数選択された場合に複数選択された前記設定ボタンの選択履歴を前記表示部に表示するとともに、前記選択履歴のとおりにトイレ用空気調和機を制御するための実行ボタンと、前記選択履歴の一部または全部を解除するためのキャンセルボタンと、を前記表示部に表示することを特徴としている。
【００１２】
また、上記構成のトイレ用空気調和機において、前記設定ボタンを複数回選択することによりその選択回数に対応した数値を入力することが可能であって、前記設定ボタンを複数選択する過程で前記設定ボタンを複数回選択することにより入力された数値を前記設定ボタンの選択履歴として前記表示部に表示することを特徴としている。
【発明の効果】
【００１３】
本発明の構成によれば、第１熱交換器または第２熱交換器の一方に流通する冷媒によって貯水タンクの水温が上昇して冷媒が相変化するに不十分な温度になる前に第３熱交換器から流入する冷媒の流れを第１熱交換器または第２熱交換器の他方に切り替えることができる。したがって、圧縮機を停止させる時間が生じることを抑制することが可能になる。このようにして、トイレ室内の空気調和の運転時間を長時間化することが可能なトイレ用空気調和機を提供することができる。
【００１４】
また、第１熱交換器や第２熱交換器の放熱により人体洗浄用貯水タンクや便器洗浄用貯水タンクの水を温めることができる。したがって、トイレ用空気調和機の省エネルギー化や便器の洗浄効果の向上を図りながら、使用者がトイレ用空気調和機を好適に使用することが可能である。
【図面の簡単な説明】
【００１５】
【図１】本発明の第１実施形態のトイレ用空気調和機の概略構成図である。
【図２】本発明の第１実施形態のトイレ用空気調和機の構成を示すブロック図である。
【図３】本発明の第１実施形態のトイレ用空気調和機の動作フローを示すフローチャートである。
【図４】本発明の第１実施形態のトイレ用空気調和機の動作フローを示すフローチャート（図２の続き）である。
【図５】本発明の第２実施形態のトイレ用空気調和機の概略構成図であって、冷房運転時の状態を示すものである。
【図６】本発明の第２実施形態のトイレ用空気調和機の概略構成図であって、暖房運転時の状態を示すものである。
【図７】本発明の第２実施形態のトイレ用空気調和機の構成を示すブロック図である。
【図８】本発明の第２実施形態のトイレ用空気調和機の冷房運転時の動作フローを示すフローチャートである。
【図９】本発明の第２実施形態のトイレ用空気調和機の冷房運転時の動作フローを示すフローチャート（図６の続き）である。
【図１０】本発明の第２実施形態のトイレ用空気調和機の暖房運転時の動作フローを示すフローチャートである。
【図１１】本発明の第２実施形態のトイレ用空気調和機の暖房運転時の動作フローを示すフローチャート（図８の続き）である。
【図１２】本発明の第３実施形態のトイレ用空気調和機のリモコンの正面図である。
【図１３】本発明の第３実施形態のトイレ用空気調和機のリモコンの表示部の正面図である。
【図１４】本発明の第３実施形態のトイレ用空気調和機のリモコンの表示部の正面図である。
【図１５】本発明の第３実施形態のトイレ用空気調和機のリモコンの表示部の正面図である。
【発明を実施するための形態】
【００１６】
以下、本発明の実施形態を図１〜図１５に基づき説明する。
【００１７】
＜第１実施形態＞
最初に、本発明の第１実施形態のトイレ用空気調和機について、図１及び図２を用いてその構造と動作の概略を説明する。図１はトイレ用空気調和機の概略構成図、図２はトイレ用空気調和機の構成を示すブロック図である。
【００１８】
トイレ用空気調和機１は、図１に示すように圧縮機２、人体洗浄用貯水タンク１０、便器洗浄用貯水タンク２０、送風装置３０、膨張弁３、ポンプ４、切替弁４１、４２、５１、５２、排水弁４３、５３、人体局部洗浄装置６１及び便器６２を備える。
【００１９】
トイレ用空気調和機１は冷媒を圧縮する圧縮機２と、人体洗浄用貯水タンク１０の内部で水没する第１熱交換器１１と、便器洗浄用貯水タンク２０の内部で水没する第２熱交換器２１と、膨張弁３と、送風装置３０の内部に配置した第３熱交換器３１と、の間を冷媒配管で接続して冷凍サイクルを構成する。冷媒には例えばＨＦＣ系のＲ４１０ＡやＲ３２等が用いられる。膨張弁３には開度制御の可能なものが用いられる。
【００２０】
人体洗浄用貯水タンク１０は人体局部洗浄装置６１に送る洗浄用の水を貯留する。人体局部洗浄装置６１に送る洗浄用の水は使用者の必要に応じて、排水弁４３及びポンプ４を介して人体局部洗浄装置６１に送られる。第１熱交換器１１は前述のように人体洗浄用貯水タンク１０の内部で水没し、その周囲の水との間で熱交換を行う。
【００２１】
人体洗浄用貯水タンク１０には第１熱交換器１１に加えて、第１水温検出部１２及び第１水位検知部１３が配置される。第１水温検出部１２は人体洗浄用貯水タンク１０の水温を検出する。第１水位検知部１３は人体洗浄用貯水タンク１０の水位を検知する。
【００２２】
便器洗浄用貯水タンク２０は便器６２に送る洗浄用の水を貯留する。便器６２に送る洗浄用の水は使用者等の必要に応じて、排水弁５３を介して便器６２に送られる。第２熱交換器２１は前述のように便器洗浄用貯水タンク２０の内部で水没し、その周囲の水との間で熱交換を行う。
【００２３】
便器洗浄用貯水タンク２０には第２熱交換器２１に加えて、第２水温検出部２２及び第２水位検知部２３が配置される。第２水温検出部２２は便器洗浄用貯水タンク２０の水温を検出する。第２水位検知部２３は便器洗浄用貯水タンク２０の水位を検知する。
【００２４】
送風装置３０の内部には第３熱交換器３１に加えて、送風ファン３２が配置される。送風ファン３２はファンとそれを回転させるモータとを組み合わせたものであって、送風装置３０の筐体に設けた不図示の吸込口と吹出口との間で空気を流通させる。送風装置３０を駆動すると、吸込口を通って送風装置３０の内部に吸い込まれたトイレ室内の空気が第３熱交換器３１の周囲を通過し、第３熱交換器３１がその周囲の室内空気との間で熱交換を行う。第３熱交換器３１との間で熱交換が行われた室内空気は送風装置３０の吹出口からトイレ室内に向かって送風される。
【００２５】
切替弁４１、４２、５１、５２は第１熱交換器１１及び第２熱交換器２１に流入する冷媒の流れを切り替える場合に用いられる。切替弁４１、４２は第１熱交換器１１の冷媒流通方向上流側及び下流側に配置される。切替弁５１、５２は第２熱交換器２１の冷媒流通方向上流側及び下流側に配置される。第１熱交換器１１に冷媒を流通させる場合、切替弁４１、４２が開放され、切替弁５１、５２が閉鎖される。第２熱交換器２１に冷媒を流通させる場合、切替弁４１、４２が閉鎖され、切替弁５１、５２が開放される。
【００２６】
また、トイレ用空気調和機１は全体の動作制御を行うために、図２に示す制御部５を備える。制御部５は図示しない演算部や記憶部等を備え、記憶部等に記憶、入力されたプログラム、データに基づきトイレの室内温度が使用者によって設定された目標値に達するように制御を行う一連の空調運転を実現する。
【００２７】
制御部５は圧縮機２、送風装置３０、膨張弁３、ポンプ４、切替弁４１、４２、５１、５２、排水弁４３、５３及び人体局部洗浄装置６１に対して動作指令を発する。また、制御部５は送風装置３０等に設けた不図示の室内温度検出部と、第１水温検出部１２、第１水位検知部１３、第２水温検出部２２及び第２水位検知部２３から各々検出温度または検出水位の出力信号を受信する。
【００２８】
制御部５は室内温度検出部、第１水温検出部１２及び第２水温検出部２２からの出力信号を参照しつつ、圧縮機２及び送風装置３０に対して運転指令を発し、膨張弁３に対して状態切り替え指令を発し、切替弁４１、４２、５１、５２及び排水弁４３、５３に対して開閉切り替え指令を発する。また、制御部５は使用者の必要に応じて、人体局部洗浄装置６１を動作させる。また、制御部５は第１水位検知部１３及び第２水位検知部２３からの出力信号を参照し、第１熱交換器１１及び第２熱交換器２１を水没させるに不十分な水量である場合に不図示の注水部から人体洗浄用貯水タンク１０または便器洗浄用貯水タンク２０に対して注水させて貯水させる。
【００２９】
図１はトイレ用空気調和機１が冷房運転を実行している状態を示す。このとき、圧縮機２は冷房時循環、すなわち圧縮機２から吐出された冷媒が先に第１熱交換器１１及び第２熱交換器２１の少なくとも一方に入る循環様式で冷媒を循環させる。冷媒は図１に描画した実線矢印の方向に循環する。
【００３０】
圧縮機２から吐出された高温高圧気体の冷媒は第１熱交換器１１及び第２熱交換器２１の少なくとも一方に入り、そこでタンク内の水との間で熱交換が行われる。冷媒はタンク内の水に対し放熱を行い、凝縮する。第１熱交換器１１または第２熱交換器２１で凝縮して液体となった冷媒は膨張弁３にて減圧される。減圧後の冷媒は第３熱交換器３１に送られ、膨張して低温低圧となり、第３熱交換器３１の表面温度を下げる。表面温度の下がった第３熱交換器３１はトイレの室内空気から吸熱し、これにより室内空気は冷やされる。吸熱後、低温気体の冷媒は圧縮機２に戻る。なお、減圧手段としては膨張弁３に代えて、キャピラリーチューブを使用しても良い。
【００３１】
そして、トイレ用空気調和機１は第１水温検出部１２または第２水温検出部２２が検出した水温に基づいて切替弁４１、４２、５１、５２を切り替え、第３熱交換器３１から第１熱交換器１１または第２熱交換器２１に流入する冷媒の流れを変更する。また、トイレ用空気調和機１は第１水温検出部１２及び第２水温検出部２２が検出した水温が所定温度を超過した場合に便器洗浄用貯水タンク２０を排水して貯水する。
【００３２】
続いて、トイレ用空気調和機１の冷房運転時の動作フローについて、図３及び図４に示すフローに沿って説明する。図３及び図４はともにトイレ用空気調和機１の動作フローを示すフローチャートであって、各々の図の結合子Ａで結合されるべきフローチャートである。
【００３３】
トイレ用空気調和機１において冷房運転が開始されると（図３のスタート）、制御部５は第１水温検出部１２が検出した人体洗浄用貯水タンク１０の水温を確認する（図６のステップ＃１０１）。そして、制御部５は第１水温検出部１２が検出した水温に基づいて第１熱交換器１１が使用可能であるか否かを判定する（ステップ＃１０２）。
【００３４】
第１水温検出部１２が検出した水温が適温であり、第１熱交換器１１が使用可能である場合（ステップ＃１０２のＹｅｓ）、制御部５は切替弁４１、４２を開放させ、切替弁５１、５２を閉鎖させて（ステップ＃１０３）、第１熱交換器１１に冷媒を流通させる。そして、動作フラグを「１」にセットして（ステップ＃１０４）、圧縮機２及び送風装置３０の駆動をオンにする（ステップ＃１０５）。
【００３５】
一方、第１水温検出部１２が検出した水温が所定温度を超過し、第１熱交換器１１が使用可能でない場合（ステップ＃１０２のＮｏ）、制御部５は第２水温検出部２２が検出した便器洗浄用貯水タンク２０の水温を確認する（ステップ＃１０６）。そして、制御部５は第２水温検出部２２が検出した水温に基づいて第２熱交換器２１が使用可能であるか否かを判定する（ステップ＃１０７）。
【００３６】
第２水温検出部２２が検出した水温が適温であり、第２熱交換器２１が使用可能である場合（ステップ＃１０７のＹｅｓ）、制御部５は切替弁４１、４２を閉鎖させ、切替弁５１、５２を開放させて（ステップ＃１０８）、第２熱交換器２１に冷媒を流通させる。そして、動作フラグを「２」にセットして（ステップ＃１０９）、圧縮機２及び送風装置３０の駆動をオンにする（ステップ＃１０５）。
【００３７】
一方、第２水温検出部２２が検出した水温が所定温度を超過し、第２熱交換器２１が使用可能でない場合（ステップ＃１０７のＮｏ）、制御部５は排水弁５３を開放させて（ステップ＃１１０）、便器洗浄用貯水タンク２０の水を排水させる。便器洗浄用貯水タンク２０の排水時間を待機すると（ステップ＃１１１）、制御部５は排水弁５３を閉鎖させて（ステップ＃１１２）、便器洗浄用貯水タンク２０への貯水を開始する。そして、便器洗浄用貯水タンク２０の貯水時間を待機する（ステップ＃１１３）。続いて、制御部５は先に述べたステップ＃１０８、ステップ＃１０９及びステップ＃１０５の動作を実行する。
【００３８】
ステップ＃１０５において圧縮機２及び送風装置３０の駆動が開始されると、動作フローは図４に進み、トイレ用空気調和機１は所定時間を待機する（ステップ＃１１４）。
【００３９】
次に、制御部５は第１水温検出部１２が検出した人体洗浄用貯水タンク１０の水温を確認する（ステップ＃１１５）。そして、制御部５は第１水温検出部１２が検出した水温に基づいて第１熱交換器１１が使用可能であるか否かを判定する（ステップ＃１１６）。
【００４０】
第１水温検出部１２が検出した水温が適温であり、第１熱交換器１１が使用可能である場合（ステップ＃１１６のＹｅｓ）、制御部５は動作フラグが「２」であるか否か、すなわち直前まで第２熱交換器２１を使用していたか否かを判定する（ステップ＃１１７）。動作フラグが「２」ではなく（ステップ＃１１７のＮｏ）、直前まで第１熱交換器１１を使用していた場合、ステップ＃１１４に戻って所定時間を待機する。
【００４１】
動作フラグが「２」であり（ステップ＃１１７のＹｅｓ）、直前まで第２熱交換器２１を使用していた場合、制御部５は切替弁４１、４２を開放させ、切替弁５１、５２を閉鎖させて（ステップ＃１１８）、第１熱交換器１１に冷媒を流通させる。そして、動作フラグを「１」にセットして（ステップ＃１１９）、ステップ＃１１４に戻って所定時間を待機する。
【００４２】
一方、第１水温検出部１２が検出した水温が所定温度を超過し、第１熱交換器１１が使用可能でない場合（ステップ＃１１６のＮｏ）、制御部５は第２水温検出部２２が検出した便器洗浄用貯水タンク２０の水温を確認する（ステップ＃１２０）。そして、制御部５は第２水温検出部２２が検出した水温に基づいて第２熱交換器２１が使用可能であるか否かを判定する（ステップ＃１２１）。
【００４３】
第２水温検出部２２が検出した水温が適温であり、第２熱交換器２１が使用可能である場合（ステップ＃１２１のＹｅｓ）、制御部５は動作フラグが「１」であるか否か、すなわち直前まで第１熱交換器１１を使用していたか否かを判定する（ステップ＃１２２）。動作フラグが「１」ではなく（ステップ＃１２２のＮｏ）、直前まで第２熱交換器２１を使用していた場合、ステップ＃１１４に戻って所定時間を待機する。
【００４４】
動作フラグが「１」であり（ステップ＃１２２のＹｅｓ）、直前まで第１熱交換器１１を使用していた場合、制御部５は切替弁４１、４２を閉鎖させ、切替弁５１、５２を開放させて（ステップ＃１２３）、第２熱交換器２１に冷媒を流通させる。そして、動作フラグを「２」にセットして（ステップ＃１２４）、ステップ＃１１４に戻って所定時間を待機する。
【００４５】
一方、第２水温検出部２２が検出した水温が所定温度を超過し、第２熱交換器２１が使用可能でない場合（ステップ＃１２１のＮｏ）、制御部５は第２水位検知部２３が検知した水位に基づいて便器洗浄用貯水タンク２０の水量が第２熱交換器２１を水没させるに不十分な水量であるか否かを判定する（ステップ＃１２５）。便器洗浄用貯水タンク２０の水量が不十分である場合（ステップ＃１２５のＮｏ）、ステップ＃１１４に戻って所定時間を待機する。
【００４６】
便器洗浄用貯水タンク２０の水量が十分である場合（ステップ＃１２５のＹｅｓ）、制御部５は圧縮機２の駆動をオフにし（ステップ＃１２６）、冷媒の流通を停止させる。続いて、制御部５は排水弁５３を開放させて（ステップ＃１２７）、便器洗浄用貯水タンク２０の水を排水させる。便器洗浄用貯水タンク２０の排水時間を待機すると（ステップ＃１２８）、制御部５は排水弁５３を閉鎖させて（ステップ＃１２９）、便器洗浄用貯水タンク２０への貯水を開始する。そして、便器洗浄用貯水タンク２０の貯水時間を待機した後（ステップ＃１３０）、制御部５は圧縮機２の駆動をオンにし（ステップ＃１３１）、冷媒の流通を再開させる。続いて、ステップ＃１１４に戻って所定時間を待機する。
【００４７】
上記のように、トイレ用空気調和機１は、例えば冷媒との間の熱交換によって人体洗浄用貯水タンク１０の水温が冷媒の温度に近づくと、冷媒の流れを便器洗浄用貯水タンク２０の第２熱交換器２１へと切り替える。これにより、冷媒が相変化するに十分な温度になるので、トイレ室内の空気調和の運転時間が長時間化する。
【００４８】
さらに、人体洗浄用貯水タンク１０及び便器洗浄用貯水タンク２０の水温がともに例えば冷媒の温度に近づくと、便器洗浄用貯水タンク２０を排水して貯水する。これにより、さらにトイレ室内の空気調和の運転時間が長時間化する。
【００４９】
また、人体洗浄用貯水タンク１０の内部の水に対して優先的に放熱することにより、使用者はその局部洗浄に温かい湯を使用することが可能である。
【００５０】
＜第２実施形態＞
次に、本発明の第２実施形態のトイレ用空気調和機について、図５〜図１１を用いて説明する。図５及び図６は各々トイレ用空気調和機の概略構成図であって、冷房運転時及び暖房運転時の状態を示すものである。図７はトイレ用空気調和機の構成を示すブロック図である。図８及び図９はともにトイレ用空気調和機の冷房運転時の動作フローを示すフローチャートであって、各々の図の結合子Ｂで結合されるべきフローチャートである。図１０及び図１１はともにトイレ用空気調和機の暖房運転時の動作フローを示すフローチャートであって、各々の図の結合子Ｃで結合されるべきフローチャートである。なお、この実施形態の基本的な構成は先に説明した第１実施形態と同じであるので、第１実施形態と共通する構成要素には前と同じ符号を付してその説明を省略するものとする。
【００５１】
第２実施形態のトイレ用空気調和機１は、図５〜図７に示すように圧縮機２、四方弁６、人体洗浄用貯水タンク１０、便器洗浄用貯水タンク２０、送風装置３０、膨張弁３、ポンプ４、切替弁４１、４２、４４、５１、５２、排水弁４３、５３、人体局部洗浄装置６１及び便器６２を備える。
【００５２】
四方弁６は圧縮機２に対する冷媒の流通方向上流側及び下流側の１箇所に配置される。四方弁６は冷房運転時、暖房運転時などの異なる運転モードにおいて冷媒の流通方向を切り替えるための弁である。
【００５３】
切替弁４４は他の切替弁４１、４２、５１、５２と同様に、第１熱交換器１１及び第２熱交換器２１に流入する冷媒の流れを切り替える場合に用いられる。切替弁４４は切替弁４２と対をなすように並列に配置され、冷房運転時には切替弁４４が必ず閉鎖され、暖房運転時には切替弁４２が必ず閉鎖される。
【００５４】
図５はトイレ用空気調和機１が冷房運転を実行している状態を示す。このとき、圧縮機２は冷房時循環、すなわち圧縮機２から吐出された冷媒が先に第１熱交換器１１及び第２熱交換器２１の少なくとも一方に入る循環様式で冷媒を循環させる。冷媒は図５に描画した実線矢印の方向に循環する。なお、前述のように冷房運転時には切替弁４４が必ず閉鎖されるので、冷媒が第１熱交換器１１を逆流することはない。
【００５５】
圧縮機２から吐出された高温高圧気体の冷媒は第１熱交換器１１及び第２熱交換器２１の少なくとも一方に入り、そこでタンク内の水との間で熱交換が行われる。冷媒はタンク内の水に対して放熱を行い、凝縮する。第１熱交換器１１または第２熱交換器２１で凝縮して液体となった冷媒は膨張弁３にて減圧される。減圧後の冷媒は第３熱交換器３１に送られ、膨張して低温低圧となり、第３熱交換器３１の表面温度を下げる。表面温度の下がった第３熱交換器３１はトイレの室内空気から吸熱し、これにより室内空気は冷やされる。吸熱後、低温気体の冷媒は圧縮機２に戻る。
【００５６】
図６はトイレ用空気調和機１が暖房運転を実行している状態を示す。このとき、四方弁６が切り替えられて冷房運転時と冷媒の流れが逆になる。圧縮機２は暖房時循環、すなわち圧縮機２から吐出された冷媒が先に第３熱交換器３１及び第１熱交換器１１の少なくとも一方に入る循環様式で冷媒を循環させる。冷媒は図６に描画した実線矢印の方向に循環する。なお、前述のように暖房運転時には切替弁４２が必ず閉鎖されるので、冷媒が第１熱交換器１１を逆流することはない。
【００５７】
圧縮機２から吐出された高温高圧気体の冷媒は第３熱交換器３１及び第１熱交換器１１の少なくとも一方に入る。第３熱交換器３１に入った冷媒は室内空気との間で熱交換が行われる。冷媒は室内空気に対して放熱を行い、室内空気は暖められる。第１熱交換器１１に入った冷媒は人体洗浄用貯水タンク１０内の水との間で熱交換が行われる。冷媒はタンク内の水に対して放熱を行い、凝縮する。放熱し、凝縮して液体となった冷媒は膨張弁３にて減圧される。減圧後の冷媒は第２熱交換器２１に送られ、膨張して低温低圧となり、第２熱交換器２１の表面温度を下げる。表面温度の下がった第２熱交換器２１は便器洗浄用貯水タンク２０内の水から吸熱する。吸熱後、低温気体の冷媒は圧縮機２に戻る。
【００５８】
続いて、第２実施形態のトイレ用空気調和機１の冷房運転時の動作フローについて、図８及び図９に示すフローに沿って説明する。
【００５９】
トイレ用空気調和機１において冷房運転が開始されると（図８のスタート）、制御部５は切替弁４４を閉鎖させる（図８のステップ＃２０１）。次に、制御部５は第１水温検出部１２が検出した人体洗浄用貯水タンク１０の水温を確認する（ステップ＃２０１）。以下、第２実施形態のトイレ用空気調和機１の冷房運転時の動作フローは先に説明した第１実施形態の動作フロー（図３及び図４）と同じであるので、ここではその説明を省略する。
【００６０】
続いて、第２実施形態のトイレ用空気調和機１の暖房運転時の動作フローについて、図１０及び図１１に示すフローに沿って説明する。
【００６１】
トイレ用空気調和機１において暖房運転が開始されると（図１０のスタート）、制御部５は切替弁４２を閉鎖させる（図１０のステップ＃３０１）。次に、制御部５は第２水温検出部２２が検出した便器洗浄用貯水タンク２０の水温を確認する（ステップ＃３０２）。そして、制御部５は第２水温検出部２２が検出した水温に基づいて第２熱交換器２１が使用可能であるか否かを判定する（ステップ＃３０３）。
【００６２】
第２水温検出部２２が検出した水温が適温であり、第２熱交換器２１が使用可能である場合（ステップ＃３０３のＹｅｓ）、制御部５は切替弁５１、５２を開放させて（ステップ＃３０４）、第２熱交換器２１に冷媒を流通させる。
【００６３】
次に、制御部５は第１水温検出部１２が検出した人体洗浄用貯水タンク１０の水温を確認する（ステップ＃３０５）。そして、制御部５は第１水温検出部１２が検出した水温に基づいて第１熱交換器１１が使用可能であるか否かを判定する（ステップ＃３０６）。
【００６４】
第１水温検出部１２が検出した水温が適温であり、第１熱交換器１１が使用可能である場合（ステップ＃３０６のＹｅｓ）、制御部５は切替弁４１、４４を開放させて（ステップ＃３０７）、第１熱交換器１１に冷媒を流通させる。一方、第１水温検出部１２が検出した水温が所定温度を超過し、第１熱交換器１１が使用可能でない場合（ステップ＃３０６のＮｏ）、制御部５は切替弁４１、４４を閉鎖させて（ステップ＃３０８）、第１熱交換器１１に冷媒を流通させない。そして、制御部５は圧縮機２及び送風装置３０の駆動をオンにする（ステップ＃３０９）。
【００６５】
ステップ＃３０３において第２水温検出部２２が検出した水温が所定温度（０℃を下回って便器洗浄用貯水タンク２０の水が凍結する可能性がある場合、例えば１℃前後）を超過し（下回り）、第２熱交換器２１が使用可能でない場合（ステップ＃３０３のＮｏ）、制御部５は排水弁５３を開放させて（ステップ＃３１０）、便器洗浄用貯水タンク２０の水を排水させる。便器洗浄用貯水タンク２０の排水時間を待機すると（ステップ＃３１１）、制御部５は排水弁５３を閉鎖させて（ステップ＃３１２）、便器洗浄用貯水タンク２０への貯水を開始する。そして、便器洗浄用貯水タンク２０の貯水時間を待機する（ステップ＃３１３）。続いて、制御部５は先に述べたステップ＃３０４〜ステップ＃３０９の動作を実行する。
【００６６】
ステップ＃３０９において圧縮機２及び送風装置３０の駆動が開始されると、動作フローは図１１に進み、トイレ用空気調和機１は所定時間を待機する（ステップ＃３１４）。
【００６７】
次に、制御部５は第１水温検出部１２が検出した人体洗浄用貯水タンク１０の水温を確認する（ステップ＃３１５）。そして、制御部５は第１水温検出部１２が検出した水温に基づいて第１熱交換器１１が使用可能であるか否かを判定する（ステップ＃３１６）。
【００６８】
第１水温検出部１２が検出した水温が適温であり、第１熱交換器１１が使用可能である場合（ステップ＃３１６のＹｅｓ）、制御部５は切替弁４１、４４を開放させて（ステップ＃３１７）、第１熱交換器１１に冷媒を流通させる。一方、第１水温検出部１２が検出した水温が所定温度を超過し、第１熱交換器１１が使用可能でない場合（ステップ＃３１６のＮｏ）、制御部５は切替弁４１、４４を閉鎖させて（ステップ＃３１８）、第１熱交換器１１に冷媒を流通させない。
【００６９】
次に、制御部５は第１水温検出部１２が検出した便器洗浄用貯水タンク２０の水温を確認する（ステップ＃３１９）。そして、制御部５は第２水温検出部２２が検出した水温に基づいて第２熱交換器２１が使用可能であるか否かを判定する（ステップ＃３２０）。第２水温検出部２２が検出した水温が適温であり、第２熱交換器２１が使用可能である場合（ステップ＃３２０のＹｅｓ）、ステップ＃３１４に戻って所定時間を待機する。
【００７０】
一方、第２水温検出部２２が検出した水温が所定温度（０℃を下回って便器洗浄用貯水タンク２０の水が凍結する可能性がある場合、例えば１℃前後）を超過し（下回り）、第２熱交換器２１が使用可能でない場合（ステップ＃３２０のＮｏ）、制御部５は第２水位検知部２３が検知した水位に基づいて便器洗浄用貯水タンク２０の水量が第２熱交換器２１を水没させるに不十分な水量であるか否かを判定する（ステップ＃３２１）。便器洗浄用貯水タンク２０の水量が不十分である場合（ステップ＃３２１のＮｏ）、ステップ＃３１４に戻って所定時間を待機する。
【００７１】
便器洗浄用貯水タンク２０の水量が十分である場合（ステップ＃３２１のＹｅｓ）、制御部５は圧縮機２の駆動をオフにし（ステップ＃３２２）、冷媒の流通を停止させる。続いて、制御部５は排水弁５３を開放させて（ステップ＃３２３）、便器洗浄用貯水タンク２０の水を排水させる。便器洗浄用貯水タンク２０の排水時間を待機すると（ステップ＃３２４）、制御部５は排水弁５３を閉鎖させて（ステップ＃３２５）、便器洗浄用貯水タンク２０への貯水を開始する。そして、便器洗浄用貯水タンク２０の貯水時間を待機した後（ステップ＃３２６）、制御部５は圧縮機２の駆動をオンにし（ステップ＃３２７）、冷媒の流通を再開させる。続いて、ステップ＃３１４に戻って所定時間を待機する。
【００７２】
上記のように、第２実施形態のトイレ用空気調和機１は四方弁６を用いて冷媒の流通方向を切り替えて、冷房運転時、暖房運転時などの異なる運転モードを実行することができる。
【００７３】
＜第３実施形態＞
次に、本発明の第３実施形態のトイレ用空気調和機について、図１２〜図１５を用いて説明する。図１２はトイレ用空気調和機のリモコンの正面図、図１３〜図１５は各々リモコンの表示部の正面図である。なお、この実施形態の基本的な構成は先に説明した第１及び第２実施形態と同じであるので、第１及び第２実施形態と共通する構成要素には前と同じ符号を付してその説明を省略するものとする。
【００７４】
第３実施形態のトイレ用空気調和機１は、図１２に示すリモコン７０を備える。リモコン７０は送風装置３０を遠隔操作するための操作部であって、通信部７１、表示部７２及び操作ボタン７３を備える。
【００７５】
通信部７１は送風装置３０に対して送風装置３０の操作に係る信号の通信を行う。表示部７２は送風装置３０の操作に係る情報や設定項目、設定ボタンなどを表示する。表示部７２の表面にはタッチパネルが設けられ、使用者が手指等で設定項目や設定ボタンを選択することができる。表示部７２の近隣には複数の操作ボタン７３が設けられる。
【００７６】
そして、リモコン７０は、図１３〜図１５に示すように表示部７２にトイレ用空気調和機１の取扱説明書７４を表示することができる。例えば、リモコン７０は取扱説明書７４を表示部７２の一部、例えば左側の半面に表示することができる。なお、取扱説明書７４は表示部７２の右側や上側、下側にも表示することでき、表示領域も表示部７２の半面に限定されるわけではない。
【００７７】
ここで、リモコンに係る従来技術が特許文献２に開示されている。特許文献２に記載されたリモコンはその表示部に取扱説明書や操作対象となる機器本体の操作パネル、リモコンの操作パネルの全体を表示することができる。さらに、この従来技術は表示部に表示された操作パネルに設けられた操作ボタンを選択することができ、選択された操作ボタンに対応する機能に係る制御信号を機器本体に送信することができる。
【００７８】
しかしながら、この従来技術のように機器本体の操作パネルやリモコンの操作パネルの全体をリモコンの表示部に表示させると、操作パネルに設けられた個々の操作ボタンが比較的小さく表示され、操作し難くなるという課題があった。さらに、リモコンの操作パネルの全体がリモコンの表示部に表示される場合、次に選択すべきボタン以外のボタン等も表示されるので、次に選択すべきボタンがどれであるか把握し難いという課題もあった。
【００７９】
これに対して、第３実施形態で説明するトイレ用空気調和機１のリモコン７０は、図１３に示すように表示部７２に取扱説明書７４の文中に取扱説明に係る設定ボタン７４ａを選択可能に拡大して描画する。設定ボタン７４ａは近隣の取扱説明に対応したボタンのみであって、使用者が選択し易いように拡大されて表示部７２に表示される。そして、使用者に設定ボタン７４ａが選択された場合、リモコン７０は設定ボタン７４ａに対応する機能に係る制御信号を通信部７１が送風装置３０に送信する。
【００８０】
また、表示部７２には、図１４に示すように複数の設定ボタン７４ａ、７４ｂ、７４ｃが描画されることがある。設定ボタン７４ａ、７４ｂ、７４ｃは各々、近隣の取扱説明に対応したボタンのみであって、使用者が選択し易いように拡大されて表示部７２に表示される。設定ボタン７４ａ、７４ｂ、７４ｃが複数選択された場合、リモコン７０は複数選択された設定ボタン７４ａ、７４ｂ、７４ｃの選択履歴７５を表示部７２の一部、例えば右側の半面に表示することができる。
【００８１】
さらに、リモコン７０は表示部７２に決定ボタン７６及び戻るボタン７７を表示する。決定ボタン７６は選択履歴７５のとおりにトイレ用空気調和機１を制御するための実行ボタンである。決定ボタン７６が押されると、選択履歴７５に従って制御信号が送風装置３０に送信される。戻るボタン７７は選択履歴７５の一部または全部を解除するためのキャンセルボタンである。
【００８２】
また、設定ボタン７４ａ、７４ｂ、７４ｃは、例えば数値入力が要求される状況において複数回選択することによりその選択回数に対応した数値を入力することが可能である。設定ボタン７４ａ、７４ｂ、７４ｃを複数選択する過程で設定ボタン７４ａ、７４ｂ、７４ｃを複数回選択することにより数値が入力された場合、図１５に示すようにリモコン７０は入力された数値を設定ボタンの選択履歴７５として表示部７２に表示する。図１５に示した選択履歴７５には、例えば送風装置３０の運転のタイマーのオンオフ（入／切）時間が数値で表示されている。
【００８３】
タイマーの時間設定の他、例えば送風装置３０の温度設定についても、設定ボタンを複数回選択することによりその選択回数に対応した数値を入力することが可能である。例えば、設定温度を２８℃から２５℃に変更する際、最小設定単位が１℃である場合に温度を下げることに対応する設定ボタンを３回押し、最小設定単位が０．５℃である場合に温度を下げることに対応する設定ボタンを６回押す。
【００８４】
上記のように、トイレ用空気調和機１は、人体局部洗浄装置６１を有するトイレ用の空気調和機であって、人体局部洗浄装置６１に送る洗浄用の水を貯留する人体洗浄用貯水タンク１０と、便器６２に送る洗浄用の水を貯留する便器洗浄用貯水タンク２０と、人体洗浄用貯水タンク１０の水温を検出する第１水温検出部１２と、便器洗浄用貯水タンク２０の水温を検出する第２水温検出部２２と、冷媒を圧縮する圧縮機２と、人体洗浄用貯水タンク１０の内部で水没する第１熱交換器１１と、便器洗浄用貯水タンク２０の内部で水没する第２熱交換器２１と、第１熱交換器１１及び第２熱交換器２１に流入する冷媒の流れを切り替える切替弁４１、４２、４４、５１、５２と、トイレの室内に向かって送風する送風装置３０と、送風装置３０の内部に配置した第３熱交換器３１と、を備える。そして、トイレ用空気調和機１は、第１水温検出部１２または第２水温検出部２２が検出した水温に基づいて切替弁４１、４２、４４、５１、５２を切り替え、第３熱交換器３１から第１熱交換器１１または第２熱交換器２１に流入する冷媒の流れを変更する。
【００８５】
この構成によれば、第１熱交換器１１または第２熱交換器２１の一方に流通する冷媒によって人体洗浄用貯水タンク１０または便器洗浄用貯水タンク２０の水温が上昇して冷媒が相変化するに不十分な温度になる前に第３熱交換器３１から流入する冷媒の流れを第１熱交換器１１または第２熱交換器２１の他方に切り替えることができる。したがって、圧縮機２を停止させる時間が生じることを抑制することが可能になる。
【００８６】
また、トイレ用空気調和機１は、圧縮機２に対する冷媒の流通方向上流側及び下流側に配置した四方弁６を備え、トイレの室内に対して冷房運転及び暖房運転を実行する。
【００８７】
この構成によれば、トイレ用空気調和機１が冷房運転及び暖房運転を実行することが可能な装置であっても、圧縮機２を停止させる時間が生じることを抑制することが可能である。
【００８８】
また、第１水温検出部１２及び第２水温検出部２２が検出した水温が所定温度を超過した場合に便器洗浄用貯水タンク２０を排水して貯水する。
【００８９】
この構成によれば、人体洗浄用貯水タンク１０及び便器洗浄用貯水タンク２０の水温が上昇して冷媒が相変化するに不十分な温度になる前に便器洗浄用貯水タンク２０の水温を低下させることができる。したがって、圧縮機２を停止させる時間が生じることをさらに抑制することができ、トイレ室内の空気調和の運転時間が一層長時間化する。
【００９０】
そして、トイレ用空気調和機１は、送風装置３０と通信する通信部７１及び運転に係る情報を表示する表示部７２が設けられたリモコン７０を備え、表示部７２にトイレ用空気調和機１の取扱説明書７４を表示するとともに取扱説明書７４の文中に取扱説明に係る設定ボタン７４ａを選択可能に拡大して描画し、文中に描画された設定ボタン７４ａが選択された場合に設定ボタン７４ａに対応する機能に係る制御信号を通信部７１が送風装置３０に送信する。
【００９１】
この構成によれば、取扱説明に係る設定ボタン７４ａがリモコン７０の表示部７２に拡大されて表示されるので、使用者が設定ボタン７４ａを選択し易くすることができる。また、表示される設定ボタン７４ａは近隣の取扱説明に対応したボタンのみであるので、不必要なボタンが表示部７２に表示されず、次に操作すべきボタンがどれであるか使用者が把握し易くすることが可能である。
【００９２】
また、トイレ用空気調和機１は、設定ボタン７４ａ、７４ｂ、７４ｃが複数選択された場合に複数選択された設定ボタン７４ａ、７４ｂ、７４ｃの選択履歴７５を表示部７２に表示するとともに、選択履歴７５のとおりにトイレ用空気調和機１を制御するための決定ボタン７６と、選択履歴７５の一部または全部を解除するための戻るボタン７７と、を表示部７２に表示する。
【００９３】
この構成によれば、設定ボタン７４ａ、７４ｂ、７４ｃを複数選択する設定の場合に、使用者は表示された選択履歴７５を確認してから決定ボタン７６を押すことができる。したがって、トイレ用空気調和機１が誤った設定で運転することを防止することが可能である。
【００９４】
さらに、トイレ用空気調和機１は、設定ボタン７４ａ、７４ｂ、７４ｃを複数回選択することによりその選択回数に対応した数値を入力することが可能であって、設定ボタン７４ａ、７４ｂ、７４ｃを複数選択する過程で設定ボタンを複数回選択することにより入力された数値を設定ボタン７４ａ、７４ｂ、７４ｃの選択履歴７５として表示部７２に表示する。
【００９５】
この構成によれば、トイレ用空気調和機１の設定に数値入力が必要な場合に対応することが可能である。したがって、トイレ用空気調和機１の操作性が向上する。
【００９６】
このようにして、本発明の上記実施形態の構成によれば、トイレ室内の空気調和の運転時間を長時間化することが可能なトイレ用空気調和機１を提供することができる。
【００９７】
また、第１熱交換器１１や第２熱交換器２１の放熱により人体洗浄用貯水タンク１０や便器洗浄用貯水タンク２０の水を温めることができる。したがって、トイレ用空気調和機１の省エネルギー化や便器６２の洗浄効果の向上を図りながら、使用者がトイレ用空気調和機１を好適に使用することが可能である。
【００９８】
以上、本発明の実施形態につき説明したが、本発明の範囲はこれに限定されるものではなく、発明の主旨を逸脱しない範囲で種々の変更を加えて実施することができる。
【００９９】
例えば、第３実施形態で説明したリモコンは遠隔操作の対象がトイレ用空気調和機であることとしたが、他の機器を遠隔操作できることとしても良い。第３実施形態で説明したリモコンで、例えばリビングなどに設置される通常の室内用の空気調和機を遠隔操作できることとしても構わない。また、テレビやその録画装置を遠隔操作できることとしても良い。この場合、リモコンには、例えばテレビの録画設定に係る取扱説明書を表示することができ、さらに近隣の取扱説明に対応した設定ボタンのみを拡大して表示することが可能である。すなわち、第３実施形態で説明したリモコンは様々な機器のリモコンとして利用することが可能である。
【産業上の利用可能性】
【０１００】
本発明は、人体局部洗浄装置を有するトイレ用の空気調和機において利用可能である。
【符号の説明】
【０１０１】
１    トイレ用空気調和機
２    圧縮機
３    膨張弁
４    ポンプ
５    制御部
６    四方弁
１０    人体洗浄用貯水タンク
１１    第１熱交換器
１２    第１水温検出部
１３    第１水位検知部
２０    便器洗浄用貯水タンク
２１    第２熱交換器
２２    第２水温検出部
２３    第２水位検知部
３０    送風装置
３１    第３熱交換器
４１、４２、４４、５１、５２    切替弁
４３、５３    排水弁
６１    人体局部洗浄装置
６２    便器
７０    リモコン（操作部）
７１    通信部
７２    表示部
７３    操作ボタン
７４    取扱説明書
７４ａ、７４ｂ、７４ｃ    設定ボタン
７５    選択履歴
７６    決定ボタン（実行ボタン）
７７    戻るボタン（キャンセルボタン）
【図１】
2015158286.tif 000003
【図２】
2015158286.tif 000004
【図３】
2015158286.tif 000005
【図４】
2015158286.tif 000006
【図５】
2015158286.tif 000007
【図６】
2015158286.tif 000008
【図７】
2015158286.tif 000009
【図８】
2015158286.tif 000010
【図９】
2015158286.tif 000011
【図１０】
2015158286.tif 000012
【図１１】
2015158286.tif 000013
【図１２】
2015158286.tif 000014
【図１３】
2015158286.tif 000015
【図１４】
2015158286.tif 000016
【図１５】
2015158286.tif 000017